(57)【要約】【課題】装置側で訪問者の認証を行うことによりなりすましや不正侵入等を防止し、セキュリティを向上させたインターフォンシステムを提供する。【解決手段】インターフォンシステム１は、マンション１０に設置される。インターフォンシステム１は、マンション１０に複数台設置され、マンション１０の部屋Ｒ１０１〜Ｒ５０１、Ｒ５０２の中に１台づつ設けられる子機インターフォン装置Ｔ１０１〜Ｔ５０１、Ｔ５０２と、マンション１０のエントランス２０に設置される１台の呼出用インターフォン装置２１と、呼出用インターフォン装置２１と接続されているサーバ機６０と、を備える。サーバ機６０は、インターフォンシステム１を管理するための装置であり、その管理画面を表示する管理用モニタ５１と、その管理画面を見て操作するキーボード５２と、が接続されている。【選択図】図１
2007110560.tif 000002
【特許請求の範囲】
【請求項１】
音声を発声するスピーカと、音声を収音するマイクと、を有し、建物に複数台設置され、該建物の部屋の中に設けられる子機インターフォン装置と、
音声を発声するスピーカと、音声を収音するマイクと、前記建物の部屋の中から所望の部屋に設けられた前記子機インターフォン装置を呼び出す際に操作する操作手段と、を有し、前記建物のエントランス又はエントランスルームに設置される呼出用インターフォン装置と、を備えるインターフォンシステムにおいて、
前記呼出用インターフォン装置と接続されるサーバ機を備え、
前記呼出用インターフォン装置は、前記スピーカ及び前記マイクの他、訪問者の顔を撮像するカメラを有し、
前記子機インターフォン装置は、前記スピーカ及び前記マイクの他、前記呼出用インターフォン装置の前記カメラにより撮像した訪問者の顔を表示する表示手段と、を有し、
前記子機インターフォン装置と前記サーバ機又は前記呼出用インターフォン装置とは、通信プロトコルＴＣＰ／ＩＰを用いたＬＡＮで接続されており、
前記呼出用インターフォン装置は、訪問者を認証するための訪問者の生体情報を取得する認証情報取得手段を有し、
前記サーバ機は、部屋名と、該部屋名の部屋の中への入室が許可された者として予め登録された入室許可者の生体情報と、を予め対応付けて記憶する第一のデータベースを有し、
前記サーバ機は、所望の部屋に設けられた前記子機インターフォン装置を呼び出すためのインターフォン番号が前記呼出用インターフォン装置の前記操作手段で入力されると、該呼出用インターフォン装置の前記生体情報取得手段を用いて該訪問者から生体情報を取得し、取得した該生体情報と前記第一のデータベースに記憶されている該訪問者によって入力された部屋の前記入室許可者の生体情報との比較により、バイオメトリクス認証を行い、
前記サーバ機は、訪問者の訪問時刻と、前記呼出用インターフォン装置の前記カメラで撮像された該訪問者の顔と、を対応付けて記憶する第二のデータベースを有し、
前記呼出用インターフォン装置は、前記操作手段で入力された前記インターフォン番号に対応する前記子機インターフォン装置と、該呼出用インターフォン装置の前記スピーカと前記マイクと前記カメラとを用いて、ファイル形式ＭＰＥＧ４により音声又は映像の通信を行い、
前記サーバ機は、前記認証を行った後、その認証結果を送信し、
前記子機インターフォン装置は、前記サーバ機からの前記認証結果を受信すると、該認証結果に応じて、前記スピーカから発声するチャイムの音を変えるとともに、該認証結果を前記表示手段で表示するインターフォンシステム。
【請求項２】
音声を発声するスピーカと、音声を収音するマイクと、を有し、建物に複数台設置され、該建物の部屋の中に設けられる子機インターフォン装置と、
音声を発声するスピーカと、音声を収音するマイクと、前記建物の部屋の中から所望の部屋に設けられた前記子機インターフォン装置を呼び出す際に操作する操作手段と、を有し、前記建物のエントランス又はエントランスルームに設置される呼出用インターフォン装置と、を備えるインターフォンシステムにおいて、
前記呼出用インターフォン装置と接続されるサーバ機を備え、
前記呼出用インターフォン装置は、前記スピーカ及び前記マイクの他、訪問者の顔を撮像するカメラを有し、
前記子機インターフォン装置は、前記スピーカ及び前記マイクの他、前記呼出用インターフォン装置の前記カメラにより撮像した訪問者の顔を表示する表示手段と、を有し、
前記子機インターフォン装置と前記サーバ機又は前記呼出用インターフォン装置とは、ＬＡＮで接続されており、
前記呼出用インターフォン装置は、訪問者を認証するための認証情報を取得する認証情報取得手段を有し、
前記サーバ機は、所望の部屋に設けられた前記子機インターフォン装置を呼び出すためのインターフォン番号が前記呼出用インターフォン装置の前記操作手段で入力されると、該呼出用インターフォン装置の前記認証情報取得手段を用いて該訪問者から認証情報を取得し、認証を行い、
前記呼出用インターフォン装置は、前記操作手段で入力された前記インターフォン番号に対応する前記子機インターフォン装置と、該呼出用インターフォン装置の前記スピーカと前記マイクと前記カメラとを用いて、所定のファイル形式により音声又は映像の通信を行うインターフォンシステム。
【請求項３】
前記呼出用インターフォン装置の前記認証情報取得手段は、前記認証情報として訪問者の生体情報を取得し、
前記サーバ機は、部屋名と、該部屋名の部屋の中への入室が許可された者として予め登録された入室許可者の生体情報と、を予め対応付けて記憶する第一のデータベースを有し、
前記サーバ機は、前記インターフォン番号が前記呼出用インターフォン装置の前記操作手段で入力された際、該呼出用インターフォン装置の前記生体情報取得手段を用いて該訪問者から生体情報を取得し、取得した該生体情報と前記第一のデータベースに記憶されている該訪問者によって入力された部屋の前記入室許可者の生体情報との比較により、前記認証としてバイオメトリクス認証を行う請求項２に記載のインターフォンシステム。
【請求項４】
前記サーバ機は、前記認証を行った後、その認証結果を送信し、
前記子機インターフォン装置は、前記サーバ機からの前記認証結果を受信すると、該認証結果に応じて、前記スピーカから発声するチャイムの音を変える請求項２又は３に記載のインターフォンシステム。
【請求項５】
前記サーバ機は、前記認証を行った後、その認証結果を送信し、
前記子機インターフォン装置は、前記サーバ機からの前記認証結果を受信すると、該認証結果を前記表示手段で表示する請求項２から４のいずれかに記載のインターフォンシステム。
【請求項６】
前記サーバ機は、訪問者の訪問時刻と、前記呼出用インターフォン装置の前記カメラで撮像された該訪問者の顔と、を対応付けて記憶する第二のデータベースを有する請求項２から５のいずれかに記載のインターフォンシステム。
【請求項７】
前記子機インターフォン装置と前記サーバ機又は前記呼出用インターフォン装置とは、通信プロトコルＴＣＰ／ＩＰを用いたＬＡＮで接続されている請求項２から６のいずれかに記載のインターフォンシステム。
【請求項８】
前記呼出用インターフォン装置は、前記操作手段で入力された前記インターフォン番号に対応する前記子機インターフォン装置と、該呼出用インターフォン装置の前記スピーカと前記マイクと前記カメラとを用いて、所定のファイル形式としてＭＰＥＧ４により音声又は映像の通信を行う請求項２から７のいずれかに記載のインターフォンシステム。
【発明の詳細な説明】
【技術分野】
【０００１】
本発明は、マンションやオフィスビル等の建物において、訪問者と映像又は音声通信を行うためのインターフォンシステムであって、特に、セキュリティ面を強化したインターフォンシステムに関するものである。
【背景技術】
【０００２】
従来から、マンションやオフィスビル等において、インターフォンシステムが設置されている。
このインターフォンシステムは、建物の中に複数設置され、該建物の部屋の中に設けられる子機インターフォン装置と、建物のエントランス又はエントランスルームに設置される呼出用インターフォン装置と、を備える。
これら子機インターフォン装置及び呼出用インターフォン装置は、配線され、互いに接続されている。
また、子機インターフォン装置は、音声を発声するスピーカと、音声を収音するマイクと、を有する。呼出用インターフォン装置は、音声を発声するスピーカと、音声を収音するマイクと、訪問者が前記建物の中から所望の部屋を呼び出す際に操作する操作手段と、を有する。
【０００３】
このような構成を備える従来のインターフォンシステムにおいて、訪問者が所望の部屋を呼び出す場合（正確には、訪問者が所望の部屋に設けられた子機インターフォン装置を呼び出す場合）、訪問者は、呼出用インターフォン装置から所望の部屋（に設けられた子機インターフォン装置）のインターフォン番号を入力する。インターフォン番号は、例えば、部屋番号、部屋名、又は部屋に置かれた子機インターフォン装置の名前である。
【０００４】
すると、このインターフォン番号に応じて、呼出用インターフォン装置がその部屋に設けられた子機インターフォン装置を呼出し、スピーカとマイクとを用いて、訪問者はその部屋の人間と音声通話が可能となる。
【０００５】
また、特許文献１に記載されたようなインターフォンシステムが提案されている。
このインターフォンシステムは、１つの呼出用インターフォン装置と、複数の子機インターフォン装置と、を備え、これら両装置がＬＡＮで接続されており、両装置間で通信プロトコルＶｏＩＰ（Voice  over  Internet  Protocol）（ファイル形式はＭＰＥＧ４）によって音声信号及び映像信号を送受信することを特徴とする。これにより、上記従来のインターフォンシステムの音声通話だけでなく、両装置間で映像と音声による通話（以下、ＴＶ通話と称する）が可能である。
【特許文献１】特開２００３−３２３７５公報
【発明の開示】
【発明が解決しようとする課題】
【０００６】
しかしながら、特許文献１において、ＴＶ通話は通信プロトコルＶｏＩＰ（ファイル形式はＭＰＥＧ４）の関係上低画質であり、映像状態が良くない。そして、訪問者を部屋に入れるかどうかの入室決定を行うのは部屋の人間であるが、部屋の人間は、映像状態が良くないそのＴＶ通話により訪問者を確認しなければならない。そのため、該部屋の人間は、訪問者の顔を正確に把握できないことが多い。従って、なりすましが可能であり、悪意の第三者の不正侵入を簡単に許してしまうといった問題が生じていた。
【０００７】
逆に、上記の通信プロトコルより高画質な通信プロトコル（例えばＭＰＥＧ２）を利用するなどして映像状態を良くすると、その分ＬＡＮのトラフィック（データ量）が上がり、伝送遅延が発生する。このことは、訪問者の待ち時間を増加させるという新たな問題が生じる。一方、映像状態を良くしつつ伝送速度を維持しようとしても、そのための高価な伝送路を用意しなければならないといった新たな問題も生じる。
【０００８】
以上より、従来のインターフォンシステムは、セキュリティについてあまり考慮されていないも同然である。
【０００９】
本発明はこのような従来の課題を解決しようとするものであり、装置側で訪問者の認証を行うことによりなりすましや不正侵入等を防止し、セキュリティを向上させたインターフォンシステムを提供することを目的とする。
【課題を解決するための手段】
【００１０】
本発明のインターフォンシステムは、前記課題を解決するために以下の構成を備えている。
【００１１】
（１）音声を発声するスピーカと、音声を収音するマイクと、を有し、建物に複数台設置され、該建物の部屋の中に設けられる子機インターフォン装置と、
音声を発声するスピーカと、音声を収音するマイクと、前記建物の部屋の中から所望の部屋に設けられた前記子機インターフォン装置を呼び出す際に操作する操作手段と、を有し、前記建物のエントランス又はエントランスルームに設置される呼出用インターフォン装置と、を備えるインターフォンシステムにおいて、
前記呼出用インターフォン装置と接続されるサーバ機を備え、
前記呼出用インターフォン装置は、前記スピーカ及び前記マイクの他、訪問者の顔を撮像するカメラを有し、
前記子機インターフォン装置は、前記スピーカ及び前記マイクの他、前記呼出用インターフォン装置の前記カメラにより撮像した訪問者の顔を表示する表示手段と、を有し、
前記子機インターフォン装置と前記サーバ機又は前記呼出用インターフォン装置とは、ＬＡＮで接続されており、
前記呼出用インターフォン装置は、訪問者を認証するための認証情報を取得する認証情報取得手段を有し、
前記サーバ機は、所望の部屋に設けられた前記子機インターフォン装置を呼び出すためのインターフォン番号が前記呼出用インターフォン装置の前記操作手段で入力されると、該呼出用インターフォン装置の前記認証情報取得手段を用いて該訪問者から認証情報を取得し、認証を行い、
前記呼出用インターフォン装置は、前記操作手段で入力された前記インターフォン番号に対応する前記子機インターフォン装置と、該呼出用インターフォン装置の前記スピーカと前記マイクと前記カメラとを用いて、所定のファイル形式により音声又は映像の通信を行う。
【００１２】
この構成において、建物は、例えばマンション、オフィスビル、又は病院である。インターフォン番号は、例えば、部屋番号、部屋名、又は部屋に置かれた子機インターフォン装置の名前である。訪問者は、例えば宅配業者や部屋の住人の友人であり、部屋の住人である場合もある。認証は、例えばバイオメトリクス認証、パスワード認証、又はＩＣカード等の所有物による認証である。認証情報は、例えば生体情報、パスワード、又はカード情報である。生体情報とは、例えば顔や指紋をデータ化したものである。ＬＡＮは、例えば通信プロトコルＴＣＰ／ＩＰ、ＮＷＬＩＮＫ、又はＮＥＴＢＥＵＩを用いて接続される。
上記サーバ機は、どこに設置しても良く、必ずしも建物内部にある必要はない。セキュリティを考えて、エントランスからは離れた位置に設置するのが良い。
認証情報取得手段は、例えばカードリーダ、訪問者の顔を撮像するカメラ、又は指紋認識デバイスを内蔵した呼出ボタンである。認証情報取得手段は、カードリーダで訪問者のＩＣカードの情報を読取ることにより、カメラで訪問者の顔を撮像することにより、呼出ボタンで指紋を採取することにより、認証情報を取得する。
所定のファイル形式は、例えば音声についてＭＰ３、映像についてＭＰＥＧである。
この構成では、装置側で訪問者の認証を行うことにより、なりすましや不正侵入等を防止することができる。従って、セキュリティを向上させることができる。
上記認証の結果は、部屋の住人に通知すると良い。認証がＮＧであれば、部屋の住人に一切通知しないで、訪問者の部屋への入場を装置側で認めないとしても良い。
【００１３】
（２）前記呼出用インターフォン装置の前記認証情報取得手段は、前記認証情報として訪問者の生体情報を取得し、
前記サーバ機は、部屋名と、該部屋名の部屋の中への入室が許可された者として予め登録された入室許可者の生体情報と、を予め対応付けて記憶する第一のデータベースを有し、
前記サーバ機は、前記インターフォン番号が訪問者によって前記呼出用インターフォン装置の前記操作手段で入力された際、該呼出用インターフォン装置の前記生体情報取得手段を用いて該訪問者から生体情報を取得し、取得した該生体情報と前記第一のデータベースに記憶されている該訪問者によって入力された部屋の前記入室許可者の生体情報との比較により、前記認証としてバイオメトリクス認証を行う。
【００１４】
この構成において、生体情報とは、例えば顔や指紋をデータ化したものである。入室許可者は、例えば部屋の住人や部屋の住人の親戚である。部屋名とは、例えば「１０１号室」「松竹部屋」である。
上記生体情報の比較によるバイオメトリクス認証は、例えば顔や指紋の特徴点を比較することにより行う。
この構成では、パスワード認証やＩＣカード等の所有物による認証と比し、セキュリティレベルの高いバイオメトリクス認証により認証を行っている。従って、セキュリティを一層向上させることができる。
【００１５】
（３）前記サーバ機は、前記認証を行った後、その認証結果を送信し、
前記子機インターフォン装置は、前記サーバ機からの前記認証結果を受信すると、該認証結果に応じて、前記スピーカから発声するチャイムの音を変える。
【００１６】
この構成において、チャイム音は、認証をクリアしていれば例えば「ピンポーン」、認証をクリアしていなければ例えば「ブブー」である。
以上により、部屋の住人は、訪問者が認証をクリアした者か否かを聴覚的に、又簡明に把握することができる。そのため、部屋の住人が、低画質なＴＶ通話を見て、自分自身が全てを判断しなければならないというようなことがなくなる。従って、なりすましや不正侵入等を防止し、セキュリティを向上させることができる。
【００１７】
（４）前記サーバ機は、前記認証を行った後、その認証結果を送信し、
前記子機インターフォン装置は、前記サーバ機からの前記認証結果を受信すると、該認証結果を前記表示手段で表示する。
【００１８】
この構成において、上記表示は、例えば「この訪問者は、あなたが入室を許可している者（登録者）です」、「この訪問者は、あなたが入室を許可していない者（未登録者）です」である。
以上により、部屋の住人は、訪問者が認証をクリアした者か否かを視覚的に、又簡明に把握することができる。そのため、部屋の住人が、低画質なＴＶ通話を見て、自分自身が全てを判断しなければならないというようなことがなくなる。従って、なりすましや不正侵入等を防止し、セキュリティを向上させることができる。
【００１９】
（５）前記サーバ機は、訪問者の訪問時刻と、前記呼出用インターフォン装置の前記カメラで撮像された該訪問者の顔と、を対応付けて記憶する第二のデータベースを有する。
【００２０】
従来のインターフォンシステムでは、空き巣などの凶悪犯罪が発生した場合、事件後、犯人の顔が何ら分からないといった問題も生じていた。部屋の人間に訪問者を確認させずに装置側で認証を行うとともに、事件発生の時のために訪問者の顔を記録しておく。
以上により、事件発生時に第二のデータベースの情報、つまり犯人の顔を参照できるため、セキュリティを向上させることができる。
また、ＴＶ通話で用いられるような低画質なファイル形式でデータベースに保存するのでなく、高画質なファイル形式（例えば高解像度のＪＰＥＧ）でデータベースに保存する。高解像度でデータベースに記録されているので、犯人の顔が鮮明である。
以上により、セキュリティを一層向上させることができる。
【００２１】
（６）前記子機インターフォン装置と前記サーバ機又は前記呼出用インターフォン装置とは、通信プロトコルＴＣＰ／ＩＰを用いたＬＡＮで接続されている。
【００２２】
（７）前記呼出用インターフォン装置は、前記操作手段で入力された前記インターフォン番号に対応する前記子機インターフォン装置と、該呼出用インターフォン装置の前記スピーカと前記マイクと前記カメラとを用いて、所定のファイル形式としてＭＰＥＧ４により音声又は映像の通信を行う。
【００２３】
この構成において、音声については、例えばＭＰ３、又はＧ７２３．１規格に準じた形式により、音声通信を行う。
【発明の効果】
【００２４】
この発明によれば、なりすましや不正侵入等を防止し、セキュリティを向上させることができる。
【発明を実施するための最良の形態】
【００２５】
以下、本発明の実施形態であるインターフォンシステムについて説明する。
【００２６】
図１は、本発明の実施形態であるインターフォンシステムのシステム構成図である。
インターフォンシステム１は、図１に示すように、マンション１０に設置される。インターフォンシステム１は、マンション１０に複数台設置され、マンション１０の部屋Ｒ（Ｒoom）１０１〜Ｒ５０１、Ｒ５０２の中に１台づつ設けられる子機インターフォン装置Ｔ（terminal）１０１〜Ｔ５０１、Ｔ５０２と、マンション１０のエントランス２０に設置される１台の呼出用インターフォン装置２１と、呼出用インターフォン装置２１と接続されているサーバ機６０と、を備える。
なお、この実施形態では、インターフォンシステム１が、マンション１０に設置されているが、病院やオフィスビルなどでも構わない。
【００２７】
サーバ機６０は、インターフォンシステム１を管理するための装置であり、その管理画面を表示する管理用モニタ５１と、その管理画面を見て操作するキーボード５２と、が接続されている。
【００２８】
このような構成を備えるインターフォンシステム１において、訪問者１１が所望の部屋Ｒ５０１を呼び出す場合（正確には、訪問者１１が所望の部屋Ｒ５０１に設けられた子機インターフォン装置Ｔ５０１を呼び出す場合）、訪問者１１は、呼出用インターフォン装置２１から所望の部屋Ｒ５０１（に設けられた子機インターフォン装置Ｔ５０１）のインターフォン番号を入力する。ここで、訪問者１１は、例えば宅配業者やマンション１０の住人の友人であり、マンション１０の住人である場合もある。また、インターフォン番号は、サーバ機６０や呼出インターフォン装置２１、特に子機インターフォン装置Ｔ１０１〜Ｔ５０１、Ｔ５０２を呼び出すための番号である。インターフォン番号は、例えば、部屋番号、部屋名、又は部屋に置かれた装置の名前である。この実施形態において、子機インターフォン装置Ｔ１０１〜Ｔ５０１、Ｔ５０２のインターフォン番号は部屋番号とする。
【００２９】
すると、この部屋番号に応じて、呼出用インターフォン装置２１がその部屋Ｒ５０１に設けられた子機インターフォン装置Ｔ５０１を呼出し、後述のスピーカ２５、５１１とマイク２６、５１３とカメラ２２、５１４と表示部２３、５１０とを用いて、訪問者１１は部屋Ｒ５０１の住人Ｐ５０１と音声又は映像の通話（以下、ＴＶ通話と称する）が可能となる。
なお、この実施形態では、呼出用インターフォン装置２１をエントランス２０に設置しているが、エントランスルーム１９に設置させても良い。エントランスルーム１９とは、具体的に言うと、マンションやホテルのロビー、又はマンションやホテルのフロントなどを指す。
また、サーバ機６０は、どこに設置しても良く、必ずしもマンション１０内部にある必要はない。セキュリティを考えて、エントランス２０から離れた位置に設置するのが好ましい。
【００３０】
ここで、マンション１０が、本発明の「建物」に相当する。
【００３１】
図２は、本発明の実施形態であるインターフォンシステムのネットワーク構成図である。
インターフォンシステム１は、マンション１０内において、図２に示すようなネットワークで構築されている。
なお、この実施形態では、インターフォンシステム１が図２に示すようなネットワークで構築されているが、これに限定されるものでない。
【００３２】
呼出用インターフォン装置２１は、音声を発声するスピーカ２５と、音声を収音するマイク２６と、訪問者１１の顔を撮像するＣＣＤカメラ２２と、マンション１０の部屋Ｒ１０１〜Ｒ５０１、Ｒ５０２の中から所望の部屋（この実施形態ではＲ５０１）に設けられた子機インターフォン装置（この実施形態ではＴ５０１）を呼び出す際に部屋番号を入力する（操作する）操作部２７と、その操作画面（部屋番号や呼出中の表示等）及びＣＣＤカメラ５１４で撮像した住人Ｐ５０１の顔等を表示する表示部２３と、指紋認識デバイスを内蔵した呼出ボタンである指紋認識部２４と、を有する。
【００３３】
子機インターフォン装置Ｔ５０２は、音声を発声するスピーカ５１１と、音声を収音するマイク５１３と、部屋Ｒ５０２の住人Ｐ５０１の顔を撮像するＣＣＤカメラ５１４と、ＣＣＤカメラ２２で撮像した訪問者１１の顔を表示する表示部５１０とを有する。
子機インターフォン装置Ｔ１０１〜Ｔ５０１の構成については、子機インターフォン装置Ｔ５０２と同様であるので省略する。
【００３４】
また、管理用モニタ５１とサーバ機６０とは、モニターケーブル４で接続されている。また、キーボード５２とサーバ機６０とは、ＵＳＢ（Universal  Serial  Bus）ケーブル５で接続されている。
【００３５】
呼出用インターフォン装置２１と、子機インターフォン装置Ｔ１０１〜Ｔ５０１、Ｔ５０２と、サーバ機６０とは、通信プロトコルＴＣＰ／ＩＰを用いたＬＡＮ（Local  Area  Network）ケーブル２で接続されている。
そして、ネットワーク上におけるアドレスとして、図２に示すようなＩＰアドレスを、各装置に固定（手動）で予め割り振る。図２のネットワークはイントラネットであるので、プライベートＩＰアドレスを割り振る。
【００３６】
一方、Ｍacアドレスは、後述のＮＩＣ（Network  Interface  Card）、例えばＮＩＣ３９、ＮＩＣ６５、ＮＩＣ５３４に固有の番号であり、工場出荷時にＲＯＭに割り振られている番号である。図２では、インターフォンシステム１の各装置を代表して、子機インターフォン装置Ｔ５０１のＮＩＣ５３４と、サーバ機６０のＮＩＣ６５と、のＭacアドレスを示している。
また、音声信号のプロトコルは、ＶoＩＰであり、映像データのファイル形式は、ＭＰＥＧ４である。
なお、この実施形態では、通信プロトコルＴＣＰ／ＩＰを用いているが、他の通信プロトコル（例えばＮＷＬＩＮＫ）でも構わない。
また、この実施形態では、ＩＰアドレスを固定（手動）で割り振っているが、サーバ機６０にＤＨＣＰ（Dynamic  Host  Configuration  Protocol）サーバを設け、自動で割り振っても構わない。
【００３７】
図２右下に示すように、サーバ機６０は、ネームサーバと、第一のデータベース及び第二のデータベースであるデータベースと、を有する。まず、ネームサーバについて説明する。
図３は、本発明の実施形態であるインターフォンシステムを構成するサーバ機に設けられたネームサーバが記憶する対応関係表を示す図である。
ネームサーバは、図３に示すように、インターフォン番号（特に部屋番号）とＩＰアドレスとの対応関係を表にして記憶している。このネームサーバは、後述の図６のハードディスク６２の一記憶領域を構成する。
【００３８】
図４は、本発明の実施形態であるインターフォンシステムを構成するサーバ機に設けられたデータベースの記憶内容を示す図である。
データベースは、図４に示すように、部屋名として部屋番号と、該部屋番号の部屋の中への入室が許可された者として予め登録された入室許可者の生体情報と、を予め対応付けて記憶する。入室許可者は、例えば部屋の住人や部屋の住人の親戚である。この生体情報とは、入室許可者の顔と指紋（不図示）をデータ化したものである。
さらに、データベースは、図４に示すように、訪問者が訪問した際に操作部２７で操作した部屋番号と、その部屋に置かれている子機インターフォン装置Ｔ１０１〜Ｔ５０１、Ｔ５０２の端末（装置）名と、該訪問者の訪問時刻と、呼出用インターフォン装置２１のＣＣＤカメラ２２で撮像された該訪問者の顔と、認証結果と、を対応付けて記憶する。
【００３９】
訪問者の顔は、動画のＭＰＥＧ４でなく、静止画のＪＰＥＧとして、高解像度で記憶する。このＪＰＥＧ圧縮は、例えば圧縮率１／１０程度の高解像度のものを使用する。
なお、このデータベースは、日時や部屋番号により検索可能なシステムで構築されており、後述の図６のハードディスク６２の一記憶領域を構成する。
【００４０】
ここで、図２に戻り、訪問者１１が呼出用インターフォン装置２１で所望の部屋Ｒ５０１の部屋番号「５０１」を入力してから、訪問者１１と部屋Ｒ５０１の住人Ｐ５０１とのＴＶ通話実現までの動きを説明する。
まず、呼出用インターフォン装置２１は、操作部２７で部屋番号が入力され、呼出ボタンである指紋認証部２４が押下されると、まず訪問者の生体情報を取得し、それからＩＰアドレス１９２．１６８．０．１を持つ装置とアクセス（通信）するようプログラムしておく。ＩＰアドレス１９２．１６８．０．１を持つ装置とのアクセス（通信）は、ルーティングテーブルにデフォルトで設定しておく。
そして、訪問者１１が呼出用インターフォン装置２１の操作部２７で所望の部屋Ｒ５０１の部屋番号５０１を入力し、指紋認証部２４を押下すると、呼出用インターフォン装置２１は、まず訪問者１１の生体情報を取得する。この生体情報とは、訪問者１１の顔と指紋（不図示）をデータ化したものである。訪問者１１の顔は、ＣＣＤカメラ２２で取得し、指紋は、指紋認証部２４が押下された際に指紋認証部２４で採取する。
【００４１】
次に、呼出用インターフォン装置２１は、ＩＰアドレス１９２．１６８．０．１を持つサーバ機６０とアクセス（通信）する。このサーバ機６０とのアクセス（通信）は、ＡＲＰ（Address  Resolution  Protocol）というプロトコルを活用することにより実現する。具体的には、ＩＰアドレス１９２．１６８．０．１をブロードキャストして、サーバ機６０からMacアドレス00-E0-18-F9-B1-44を取得することにより実現する。
【００４２】
通信できると、呼出用インターフォン装置２１は、訪問者１１から取得した上記生体情報と入力された部屋番号５０１とをサーバ機６０に送信する。
サーバ機６０は、呼出用インターフォン装置２１から生体情報と部屋番号５０１とを受信すると、まず、取得した該生体情報と上述のデータベースに記憶されている該訪問者１１によって入力された部屋Ｒ５０１の入室許可者の生体情報との比較により、バイオメトリクス認証を行う。この生体情報の比較によるバイオメトリクス認証は、例えば顔や指紋の特徴点を比較することにより行う。
【００４３】
そして、サーバ機６０は、図４に示すように、訪問者１１が訪問した際に操作部２７で操作した部屋番号「５０１」と、その部屋Ｒ５０１に置かれている子機インターフォン装置Ｔ５０１の端末（装置）名と、該訪問者１１の訪問時刻と、呼出用インターフォン装置２１のＣＣＤカメラ２２で撮像された該訪問者１１の顔と、認証結果と、を対応付けてデータベースに記録する。
【００４４】
このデータベースに記憶させた訪問者１１の訪問時刻や顔などは、空き巣などの凶悪犯罪が発生した場合、事件後、犯人の顔を特定する際に有効である。しかも、低画質でなく、高解像度でデータベースに記録されているので、犯人の顔が鮮明である。
以上により、セキュリティを向上させることができる。
なお、この実施形態では、認証情報として生体情報を取得し、バイオメトリクス認証を行っているが、認証情報として訪問者１１からパスワードを取得して、パスワード認証やＩＣカード等の所有物による認証を行っても良い。他にも、訪問者１１を第三者が保障する電子署名を利用しても良く、バイオメトリクス認証に限定されるものでない。
【００４５】
次に、サーバ機６０は、部屋番号「５０１」を参照して、ネームサーバからその部屋番号「５０１」に対応する子機インターフォン装置Ｔ５０１のＩＰアドレス１９２．１６８．０．２９を取得する（図３参照）。そして、サーバ機６０は、バイオメトリクス認証の認証結果（認証クリア又は認証ＮＧ）と、ＩＰアドレス１９２．１６８．０．２９と、を呼出用インターフォン装置２１に返信する。
【００４６】
認証結果とＩＰアドレスを返信されると、呼出用インターフォン装置２１は、サーバ機６０とのアクセス（通信）を切断し、ＩＰアドレス１９２．１６８．０．２９を持つ子機インターフォン装置Ｔ５０１とアクセス（通信）する。この子機インターフォン装置Ｔ５０１とのアクセス（通信）も、ＡＲＰを活用することにより実現する。具体的には、ＩＰアドレス１９２．１６８．０．２９をブロードキャストして、子機インターフォン装置Ｔ５０１からMacアドレス00-B0-00-AA-B8-6Ｆを取得することにより実現する。
【００４７】
通信できると、呼出用インターフォン装置２１がその部屋Ｒ５０１に設けられた子機インターフォン装置Ｔ５０１を呼出して認証結果（認証クリア又は認証ＮＧ）を先に渡す（送信する）。
【００４８】
サーバ機６０からの認証結果を受信すると、子機インターフォン装置Ｔ５０１は、該認証結果に応じて、スピーカ５１１から発声するチャイムの音を変える。このチャイム音は、認証をクリアしていれば例えば「ピンポーン」、認証をクリアしていなければ例えば「ブブー」である。
これにより、部屋Ｒ５０１の住人Ｐ５０１は、訪問者１１が認証をクリアした者か否かを聴覚的に、又簡明に把握することができる。そのため、部屋Ｒ５０１の住人Ｐ５０１が、低画質なＴＶ通話を見て、自分自身が全てを判断しなければならないというようなことがなくなる。従って、なりすましや不正侵入等を防止し、セキュリティを向上させることができる。
【００４９】
このチャイムを聞きつけた住人Ｐ５０１が呼出用インターフォン装置２１に近づくと、訪問者１１は部屋Ｒ５０１の住人Ｐ５０１と音声又は映像の通話が可能となる。つまり、呼出用インターフォン装置２１は、子機インターフォン装置Ｔ５０１と、後述のスピーカ２５、５１１とマイク２６、５１３とＣＣＤカメラ２２、５１４と表示部２３、５１０とを用いて、音声又は映像の通話が可能となる。
この通話の際、子機インターフォン装置Ｔ５０１は、認証結果を表示部５１０で、例えば画面の右上にＯＳＤ（On  Screen  Display）表示する。このＯＳＤ表示は、例えば「この訪問者は、あなたが入室を許可している者（登録者）です」、「この訪問者は、あなたが入室を許可していない者（未登録者）です」である。
これにより、部屋Ｒ５０１の住人Ｐ５０１は、訪問者１１が認証をクリアした者か否かを視覚的に、又簡明に把握することができる。そのため、部屋Ｒ５０１の住人Ｐ５０１が、低画質なＴＶ通話を見て、自分自身が全てを判断しなければならないというようなことがなくなる。従って、なりすましや不正侵入等を防止し、セキュリティを向上させることができる。
【００５０】
ここで、指紋認証部２４及びＣＣＤカメラ２２が、本発明の「認証情報取得手段」に相当する。
【００５１】
以下、インターフォンシステム１を構成する呼出用インターフォン装置２１と、サーバ機６０と、子機インターフォン装置Ｔ５０１と、について、これらの装置のブロック図を用いて詳細に説明する。
また、訪問者１１が所望の部屋Ｒ５０１に設けられた子機インターフォン装置Ｔ５０１を呼び出す際にその部屋番号「５０１」を操作部２７で入力してからＴＶ通話実現までの動きに併せ以下説明する。
【００５２】
図５は、本発明の実施形態であるインターフォンシステムを構成する呼出用インターフォン装置のブロック図である。
呼出用インターフォン装置２１は、装置本体２１の各部を制御する制御部４０と、訪問者１１の顔を撮像するＣＣＤカメラ２２と、音声を発声するスピーカ（ＳＰ）２５と、音声を収音するマイク２６と、指紋認識デバイスを内蔵した呼出ボタンである指紋認証部２４と、部屋番号を入力する操作部２７と、部屋番号「５０１」を入力する際の操作画面を表示する表示部２３と、ＪＰＥＧエンコーダ３８と、ＭＰＥＧ４エンコーダ・デコーダ３７と、ＬＡＮケーブル２と接続されているＮＩＣ３９と、データをＤ／Ａ変換するＤ／Ａ変換部３３と、データをＤ／Ａ変換するＤ／Ａ変換部３５と、マイク２６で収音した音声をＡ／Ｄ変換してデータ化するＡ／Ｄ変換部３６と、装置本体２１の制御プログラムを記憶する記憶部４１と、プログラムを展開したりデータを一時的に保持するＲＡＭ４２と、を備える。
【００５３】
ここで、記憶部４１が記憶する制御プログラムには、操作部２７で部屋番号が入力され、呼出ボタンである指紋認証部２４が押下されると、まず訪問者の生体情報を取得し、それからＩＰアドレス１９２．１６８．０．１を持つ装置とアクセス（通信）するようプログラムしておく。ＩＰアドレス１９２．１６８．０．１を持つ装置とのアクセス（通信）は、ルーティングテーブルにデフォルトで設定しておく。記憶部４１は、例えばＲＯＭ、又はＥＥＰＲＯＭで構成される。
【００５４】
操作部２７は、図２に示すように、訪問者１１が部屋番号「５０１」を入力する部屋番号入力キーを有する。そして、入力された部屋番号「５０１」を制御部４０に出力する。
【００５５】
指紋認証部２４は、訪問者１１が部屋番号「５０１」を入力した後に押下する呼出ボタンである。指紋認識デバイスを内蔵しているので、指紋認証部２４は、この押下された時に、訪問者１１の指紋を採取する。そして、その指紋データを制御部４０に出力する。
【００５６】
制御部４０は、例えばマイクロコンピュータで構成される。
制御部４０は、操作部２７及び指紋認証部２４から部屋番号「５０１」及び指紋データを受信すると、ＪＰＥＧエンコーダ３８に訪問者１１の顔の静止画像を取得させる。
【００５７】
ＪＰＥＧエンコーダ３８は、制御部４０の指示を受け、ＣＣＤカメラ２２で撮像された訪問者１１の顔の連続映像から１フレーム切り出し、高解像度のＪＰＥＧ圧縮を行う。そして、訪問者１１の顔の静止画像を制御部４０に出力する。
【００５８】
制御部４０は、ＪＰＥＧエンコーダ３８から訪問者１１の顔の静止画像を受信すると、訪問者１１の顔の静止画像と、訪問者１１の指紋データと、訪問者１１が入力した部屋番号「５０１」とを、ＮＩＣ３９及びＬＡＮケーブル２を介してサーバ機６０に送信する。
【００５９】
図６は、本発明の実施形態であるインターフォンシステムを構成するサーバ機のブロック図である。
サーバ機６０は、所謂パーソナルコンピュータであり、装置本体６０各部を制御する制御部６１と、プログラムを展開したりデータを一時的に保持したりするＲＡＭ６３と、ハードディスク６２と、光ディスクにデータを記録するドライブ装置６６と、ＬＡＮケーブル２と接続されているＮＩＣ６５と、を備える。
【００６０】
ハードディスク６２は、２つのパーティションに区切られており、ネームサーバと、データベースから構成される。
ドライブ装置６６は、データベースのデータを、バックアップ用として光ディスクにデータを記録する。光ディスクは、例えばＤＶＤ−ＲＡＭ、ＤＶＤ−Ｒ、又はＤＶＤ−ＲＷである。
インターフォンシステム１のアドミニストレータ（管理人）が定期的にバックアップを取ることにより、データベースのデータが不慮の事故や災害などにより消失しても、上記光ディスクからデータを復元できる。従って、セキュリティが向上する。
【００６１】
キーボード５２は、インターフォンシステム１のアドミニストレータがネットワークを管理等する際に操作する。その管理画面を管理用モニタ５１で表示する。そして、キーボード５２は、その操作信号を制御部６１に出力する。
【００６２】
制御部６１は、例えばマイクロコンピュータ、ＣＰＵ、又はチップセットで構成される。
制御部６１は、キーボード５２からの操作信号に応じて、装置本体６０各部を制御する。
また、制御部６１は、訪問者１１の顔の静止画像と、訪問者１１の指紋データと、訪問者１１が入力した部屋番号「５０１」とを、ＮＩＣ６５及びＬＡＮケーブル２を介して呼出用インターフォン装置２１から受信すると、まず、バイオメトリクス認証を行う。つまり、制御部６１は、訪問者１１の顔の静止画像及び指紋データと、上述のデータベースに記憶されている該訪問者１１によって入力された部屋Ｒ５０１の入室許可者の顔の静止画像及び指紋データと、の比較を行う。この比較は、特徴点を比較し、特徴点の差異が一定範囲内であるか否かにより行う。
【００６３】
制御部６１は、図４に示すように、訪問者１１が訪問した際に操作部２７で操作した部屋番号「５０１」と、その部屋Ｒ５０１に置かれている子機インターフォン装置Ｔ５０１の端末（装置）名と、該訪問者１１の訪問時刻と、呼出用インターフォン装置２１のＣＣＤカメラ２２で撮像された該訪問者１１の顔と、認証結果と、を対応付けてデータベースに記録する。
【００６４】
このデータベースに記憶させた訪問者１１の訪問時刻や顔などは、空き巣などの凶悪犯罪が発生した場合、事件後、犯人の顔を特定する際に有効である。しかも、低画質でなく、高解像度でデータベースに記録されているので、犯人の顔が鮮明である。
以上により、セキュリティを向上させることができる。
【００６５】
次に、制御部６１は、部屋番号「５０１」を参照して、ネームサーバからその部屋番号「５０１」に対応する子機インターフォン装置Ｔ５０１のＩＰアドレス１９２．１６８．０．２９を取得する（図３参照）。そして、制御部６１は、バイオメトリクス認証の認証結果（認証クリア又は認証ＮＧ）と、ＩＰアドレス１９２．１６８．０．２９と、をＮＩＣ６５及びＬＡＮケーブル２を介して呼出用インターフォン装置２１に返信する。
【００６６】
図５に戻り、認証結果とＩＰアドレスが返信されると、制御部４０は、サーバ機６０とのアクセス（通信）を切断し、ＩＰアドレス１９２．１６８．０．２９を持つ子機インターフォン装置Ｔ５０１とアクセス（通信）する。
通信できると、制御部４０は、認証結果（認証クリア又は認証ＮＧ）を子機インターフォン装置Ｔ５０１にまず渡す（送信する）。
【００６７】
図７は、本発明の実施形態であるインターフォンシステムを構成する子機インターフォン装置のブロック図である。
子機インターフォン装置Ｔ５０１は、装置本体Ｔ５０１各部を制御する制御部５３１と、部屋Ｒ５０１の住人Ｐ５０１の顔を撮像するＣＣＤカメラ５１４と、ＣＣＤカメラ２２で撮像された訪問者１１の顔を表示する表示部５１０と、音声を発声するスピーカ（ＳＰ）５１１と、音声を収音するマイク５１３と、部屋Ｒ５０１の住人Ｐ５０１が所望の操作を行う操作部５１２と、ｍｐ３やＭＰＥＧ４で圧縮又は伸長するＭＰＥＧ４エンコーダ・デコーダ５３５と、ＬＡＮケーブル２と接続されているＮＩＣ５３４と、データをＤ／Ａ変換するＤ／Ａ変換部５２０と、データをＤ／Ａ変換するＤ／Ａ変換部５２１と、マイク５１３で収音した音声をＡ／Ｄ変換してデータ化するＡ／Ｄ変換部５２３と、装置本体Ｔ５０１の制御プログラムを格納する記憶部５３３と、プログラムを展開したりデータを一時的に保持したりするＲＡＭ５３２と、制御部５３１の指示により映像信号に所望のＯＳＤ画像を重畳するＯＳＤ画像生成部５３０と、を備える。
【００６８】
記憶部５３３は、上記制御プログラムの他、制御部５３１が認証結果を受信した時にチャイム音をスピーカ５１１から発声させ、該認証結果に応じて、そのチャイムの音を変えるための認証結果音プログラムが記憶されている。また、認証結果を表示するための認証結果表示プログラムも記憶されている。記憶部５３３は、例えばＲＯＭ、又はＥＥＰＲＯＭで構成される。
【００６９】
操作部５１２は、図２に示すような操作キー５１２a、５１２bを有する。そして、その操作信号を制御部５３１に出力する。操作キー５１２a、５１２bでは、ボリューム変更や表示部５１０の表示画面の輝度調整などができる。
【００７０】
制御部５３１は、例えばマイクロコンピュータで構成される。
【００７１】
制御部５３１は、操作部５１２からの操作信号に応じて、装置本体Ｔ５０１各部を制御する。
【００７２】
また、サーバ機６０からの認証結果（認証クリア又は認証ＮＧ）を受信すると、制御部５３１は、上記認証結果音プログラムを実行し、チャイムの音をスピーカ５１１から発声させる。このチャイム音は、該認証結果に応じて変わる。チャイム音は、認証クリアであれば例えば「ピンポーン」、認証ＮＧであれば例えば「ブブー」である。このチャイム音のデータは、ｍｐ３形式で予め記憶部５３３に記憶しておく。
【００７３】
詳述すると、制御部５３１は、上記認証結果音プログラムを実行すると、ｍｐ３形式のチャイム音の音声データを記憶部５３３から取り出し、該データをＭＰＥＧ４エンコーダ・デコーダ５３５に出力する。記憶部５３３から取り出す音声データは、認証結果（認証クリア又は認証ＮＧ）に応じて変える。
音声データは、ＭＰＥＧ４エンコーダ・デコーダ５３５でデコードされ、次にＤ／Ａ変換部５２１でＤ／Ａ変換されてアナログの再生音声信号となり、チャイム音がスピーカ５１１から発声させる。
【００７４】
これにより、部屋Ｒ５０１の住人Ｐ５０１は、訪問者１１が認証をクリアした者か否かを聴覚的に、又簡明に把握することができる。そのため、部屋Ｒ５０１の住人Ｐ５０１が、低画質なＴＶ通話を見て、自分自身が全てを判断しなければならないというようなことがなくなる。従って、なりすましや不正侵入等を防止し、セキュリティを向上させることができる。
【００７５】
このチャイムを聞きつけた住人Ｐ５０１が呼出用インターフォン装置２１に近づくと、訪問者１１は部屋Ｒ５０１の住人Ｐ５０１と音声又は映像の通話が可能となる。つまり、呼出用インターフォン装置２１は、子機インターフォン装置Ｔ５０１と、スピーカ２５、５１１とマイク２６、５１３とＣＣＤカメラ２２、５１４と表示部２３、５１０とを用いて、音声又は映像の通話（ＴＶ通話）が可能となる。
【００７６】
具体的には、以下のようにしてＴＶ通話が行われる。まず、子機インターフォン装置Ｔ５０１側から説明する。
ＣＣＤカメラ５１４は、部屋Ｒ５０１の住人Ｐ５０１の顔を撮像して、その連続画像（映像データ）をＭＰＥＧ４エンコーダ・デコーダ５３５に出力する。
Ａ／Ｄ変換部５２３は、マイク５１３で収音した音声をＡ／Ｄ変換してデータ化する。そして、その音声データをＭＰＥＧ４エンコーダ・デコーダ５３５に出力する。
【００７７】
ＭＰＥＧ４エンコーダ・デコーダ５３５は、上記映像データをＭＰＥＧ４でエンコードするとともに、上記音声データをｍｐ３でエンコードする（省略しているが、正確にはバッファメモリを設けて、エンコードする必要がある。）。そしてそれらＡＶ（Audio  Visual）データをＮＩＣ５３４及びＬＡＮケーブル２を介して呼出用インターフォン装置２１に送信する。
【００７８】
図５に戻り、ＭＰＥＧ４エンコーダ・デコーダ３７は、上記ＮＩＣ３９及びＬＡＮケーブル２を介してＡＶデータを受信すると、ＡＶデータを分離し、映像データをＭＰＥＧ４でデコードするとともに、音声データをｍｐ３でデコードする（省略しているが、正確にはバッファメモリを設けて、デコードする必要がある。）。そして、映像データをＤ／Ａ変換部３３に、音声データをＤ／Ａ変換部３５に、同期を取りつつそれぞれ出力する。
【００７９】
Ｄ／Ａ変換部３３は、映像データが入力されると、該データをアナログの再生映像信号に変換し、表示部２３で映像を表示する。具体的には、ＣＣＤカメラ５１４で撮像された部屋Ｒ５０１の住人Ｐ５０１の顔が表示される。
Ｄ／Ａ変換部３５は、音声データが入力されると、該データをアナログの再生音声信号に変換し、スピーカ２５で音声を発声する。
【００８０】
続いて、呼出用インターフォン装置２１側から引き続き説明する。
ＣＣＤカメラ２２は、訪問者１１の顔を撮像して、その連続画像（映像データ）をＭＰＥＧ４エンコーダ・デコーダ３７に出力する。
Ａ／Ｄ変換部３６は、マイク２６で収音した音声をＡ／Ｄ変換してデータ化する。そして、その音声データをＭＰＥＧ４エンコーダ・デコーダ３７に出力する。
【００８１】
ＭＰＥＧ４エンコーダ・デコーダ３７は、上記映像データをＭＰＥＧ４でエンコードするとともに、上記音声データをｍｐ３でエンコードする（省略しているが、正確にはバッファメモリを設けて、エンコードする必要がある。）。そしてそれらＡＶ（Audio  Visual）データをＮＩＣ３９及びＬＡＮケーブル２を介して子機インターフォン装置Ｔ５０１に送信する。
【００８２】
図７に進み、ＭＰＥＧ４エンコーダ・デコーダ５３５は、ＮＩＣ５３４及びＬＡＮケーブル２を介してＡＶデータを受信すると、ＡＶデータを分離し、映像データをＭＰＥＧ４でデコードするとともに、音声データをｍｐ３でデコードする（省略しているが、正確にはバッファメモリを設けて、デコードする必要がある。）。そして、映像データをＤ／Ａ変換部５２０に、音声データをＤ／Ａ変換部５２１に、同期を取りつつそれぞれ出力する。
【００８３】
Ｄ／Ａ変換部５２０は、映像データが入力されると、該映像データをアナログの再生映像信号に変換し、ＯＳＤ画像生成部５３０を介して、表示部５１０で映像を表示する。具体的には、ＣＣＤカメラ２２で撮像された訪問者１１の顔が表示される。
Ｄ／Ａ変換部５２１は、音声データが入力されると、該音声データをアナログの再生音声信号に変換し、スピーカ５１１で音声を発声する。
【００８４】
以上のようにして、ＴＶ通話が行われる。
【００８５】
このＴＶ通話の際、制御部５３１は、上記認証結果表示プログラムを実行し、認証結果を表示部５１０で、例えば画面の右上にＯＳＤ表示する。
詳述すると、制御部５３１は、上記認証結果表示プログラムを実行すると、認証結果をＯＳＤ表示する旨の制御信号をＯＳＤ画像生成部５３０に送信する。該制御信号は、認証クリアと認証ＮＧによって信号を変えておく。
ＯＳＤ画像生成部５３０は、制御部５３１の指示により、つまり認証クリア又は認証ＮＧかにより、映像信号に文字（ＯＳＤ画像）を重畳する。
【００８６】
すると、認証結果が表示部５１０で、例えば画面の右上にＯＳＤ表示される。この表示、つまりＯＳＤ画像生成部５３０が重畳する文字は、例えば認証結果が認証クリアであれば「この訪問者は、あなたが入室を許可している者（又は登録者）です」、認証結果が認証ＮＧであれば「この訪問者は、あなたが入室を許可していない者（又は未登録者）です」である。
これにより、部屋Ｒ５０１の住人Ｐ５０１は、訪問者１１が認証をクリアした者か否かを視覚的に、又簡明に把握することができる。そのため、部屋Ｒ５０１の住人Ｐ５０１が、低画質なＴＶ通話を見て、自分自身が全てを判断しなければならないというようなことがなくなる。従って、なりすましや不正侵入等を防止し、セキュリティを向上させる
ことができる。
なお、この実施形態では、ｍｐ３やＭＰＥＧ４で圧縮又は伸長させているが、このファイル形式に限定するものではない。例えばｍｐ３の代わりにＧ７２３．１規格に準じた形式でも良い。
【図面の簡単な説明】
【００８７】
【図１】本発明の実施形態であるインターフォンシステムのシステム構成図
【図２】本発明の実施形態であるインターフォンシステムのネットワーク構成図
【図３】本発明の実施形態であるインターフォンシステムを構成するサーバ機に設けられたネームサーバが記憶する対応関係表を示す図
【図４】本発明の実施形態であるインターフォンシステムを構成するサーバ機に設けられたデータベースの記憶内容を示す図
【図５】本発明の実施形態であるインターフォンシステムを構成する呼出用インターフォン装置のブロック図
【図６】本発明の実施形態であるインターフォンシステムを構成するサーバ機のブロック図
【図７】本発明の実施形態であるインターフォンシステムを構成する子機インターフォン装置のブロック図
【符号の説明】
【００８８】
１−インターフォンシステム
２−ＬＡＮケーブル
４−モニターケーブル
５−ＵＳＢケーブル
１０−マンション
１１−訪問者
１９−エントランスルーム
２０−エントランス
２１−呼出インターフォン装置
２２−ＣＣＤカメラ
２３−表示部
２４−指紋認証部
２５−スピーカ
２６−マイク
２７−操作部
３３−Ｄ／Ａ変換部
３５−Ｄ／Ａ変換部
３６−Ａ／Ｄ変換部
３７−ＭＰＥＧ４エンコーダ・デコーダ
３８−ＪＰＥＧエンコーダ
３９−ＮＩＣ
４０−制御部
４１−記憶部
４２−ＲＡＭ
５０−サーバルーム
５１−管理用モニタ
５２−キーボード
６０−サーバ機
６１−制御部
６２−ハードディスク
６３−ＲＡＭ
６５−ＮＩＣ
６６−ドライブ装置
Ｒ１０１−部屋
Ｔ１０１−子機インターフォン装置
Ｒ５０１−部屋
Ｔ５０１−子機インターフォン装置
Ｐ５０１−住人
Ｒ５０２−部屋
Ｔ５０２−子機インターフォン装置
５１０−表示部
５１１−スピーカ
５１２−操作部
５１３−マイク
５１４−ＣＣＤカメラ
５２０−Ｄ／Ａ変換部
５２１−Ｄ／Ａ変換部
５２３−Ａ／Ｄ変換部
５３０−ＯＳＤ画像生成部
５３１−制御部
５３２−ＲＡＭ
５３３−記憶部
５３４−ＮＩＣ
５３５−ＭＰＥＧ４エンコーダ・デコーダ
【図１】
2007110560.tif 000003
【図２】
2007110560.tif 000004
【図３】
2007110560.tif 000005
【図４】
2007110560.tif 000006
【図５】
2007110560.tif 000007
【図６】
2007110560.tif 000008
【図７】
2007110560.tif 000009